(57)【要約】【課題】火災の勢いが盛んになったような場合に、自己の頭部及び上半身を火の粉等から護りながら避難することを可能とするエプロンを提供することである。【解決手段】広幅の胴当て部Ｄと、胴当て部Ｄの上方に続いて徐々に幅が狭くなる胸当て部Ｍと、胴当て部Ｄの上部に設けられた胴締め紐Ｄｈと、胸当て部Ｍの上部に設けられた首掛け紐Ｍｈとを有するエプロンＥであって、全体が難燃性の生地で構成されていると共に、胸当て部Ｍの上半部の裏面に同じ幅の難燃性の生地Ｋが、下部を開放させるように縫着されて頭巾Ｚを構成していることを特徴とするエプロン。【選択図】図１
0003153634.tif 000002
【実用新案登録請求の範囲】
【請求項１】
広幅の胴当て部（Ｄ）と、胴当て部（Ｄ）の上方に続いて徐々に幅が狭くなる胸当て部（Ｍ）と、胴当て部（Ｄ）の上部に設けられた胴締め紐（Ｄｈ）と、胸当て部（Ｍ）の上部に設けられた首掛け紐（Ｍｈ）とを有するエプロン（Ｅ）であって、全体が難燃性の生地で構成されていると共に、胸当て部（Ｍ）の上半部の裏面に同じ幅の難燃性の生地（Ｋ）が、下部を開放させるように縫着されて頭巾（Ｚ）を構成していることを特徴とするエプロン。
【請求項２】
エプロン（Ｅ）全体を構成する難燃性の生地は、綾織物、又はバーバリー織り生地に難燃加工が施されたものであることを特徴とする請求項１に記載のエプロン。
【請求項３】
エプロン（Ｅ）全体を構成する難燃性の生地は、吸汗性を有するものであることを特徴とする請求項１または請求項２に記載のエプロン。
【考案の詳細な説明】
【技術分野】
【０００１】
本考案は、広幅の胴当て部と、胴当て部の上方に続いて徐々に幅が狭くなる胸当て部と、胴当て部の上部に設けられた胴締め紐と、胸当て部の上部に設けられた首掛け紐とを有するエプロンに関する。
【背景技術】
【０００２】
従来から、簡単な構成のエプロンとして、広幅の胴当て部と、胴当て部の上方に続いて徐々に幅が狭くなる胸当て部と、胴当て部の上部に設けられた胴締め紐と、胸当て部の上部に設けられた首掛け紐とを有するものが種々提案されている。
このようなエプロンは、調理現場、化学実験現場等、飛散物、飛沫体等が多く発生する箇所において、作業者が被着することによって、飛散物、飛沫体等が被服に付着することを未然に防止することができる。
【０００３】
そして、特許文献１に示すように、難燃性繊維からなるエプロンも提案されている。
このエプロンは、難燃性繊維からなるエプロンであって、エプロン本体が上下に容易に分離可能であり、ポケット部が上部のみでエプロン本体に結合されている構成を有している。
この構成のエプロンによれば、とっさに熱いものを持つ必要が生じた場合に、ポケット部に手を入れ、この状態で熱いものを持つことができる。
また、火災の初期においては、エプロン本体の上部のみを分離して火災発生箇所を覆うことによって、初期消火に役立てることができる。
【０００４】
特許文献１に記載されたエプロンは、とっさに熱いものを持つ必要が生じた場合、初期消火に役立てる場合に十分に対処することができるが、火災が発生し、初期消火に失敗して火災の勢いが盛んになったような場合に、自己の身体を火災から護りながら（火の粉等から護りながら）避難するためには殆ど役立たないという問題がある。
具体的には、胸部、胴部の前面は護ることができるが、避難する場合には、火から離れる方向に逃げる関係上、背中側を護ることが必要であるにも拘わらず、背中側は殆ど護ることができない。
また、人体の中で最も大事な頭部は全く護ることができない。
【先行技術文献】
【特許文献】
【０００５】
【特許文献１】実開平０６−０４７３１３号公報
【考案の概要】
【考案が解決しようとする課題】
【０００６】
本考案が解決しようとする課題は、以下の通りである。
（１）本考案が解決しようとする第１課題
火災の勢いが盛んになったような場合に、自己の頭部及び上半身を火の粉等から護りながら避難することを可能とするエプロンを提供することである。
（２）本考案が解決しようとする第２課題
簡単に難燃性を持たせることができ、しかも、外観が優れたエプロンを提供することである。
（３）本考案が解決しようとする第３課題
通常の作業時における快適性を高めることができるエプロンを提供することである。
【課題を解決するための手段】
【０００７】
課題を解決するための手段は、本願の［実用新案登録請求の範囲］の各請求項に記載の考案である。
実用新案登録請求の範囲、明細書、図面等の用語の解釈上の疑義を解消すべく、以下、用語の説明を行うこととする。
＜用語の説明＞
○エプロンとは、調理、化学実験などを行う場合に、飛散物、飛沫体等から自己の身体を護るために被着する簡易被服をいう。
○胴当て部とは、エプロンのうち、主として腹部及び脚部を覆うように被着される部分をいう。
○胸当て部とは、エプロンのうち、主として胸部を覆うように被着される部分をいう。
○胴締め紐とは、胴当て部を腹部に密着させるために設けられたものであり、胴締め紐どうしを縛ることによって胴当て部を腹部に密着させることができる。
○首掛け紐とは、胸当て部が垂れないようにするために首に掛けるために設けられたものである。この首掛け紐は、両端が胸当て部に縫いつけられたものであってもよく、又は、一端が胸当て部に縫い付けられた１対の紐であって、両紐の遊端部どうしを縛るようにしたものであってもよい。
○難燃性とは、着火又は延焼し難いことをいう。
○難燃性の生地とは、全体として難燃性を有する生地であり、具体的には、難燃性の繊維からなる生地、難燃加工を施してなる生地等が例示できる。
○綾織物とは、綾を織り出した織物をいう。
○バーバリー織り生地とは、綿ギャバジンの生地をいう。
○ギャバジンとは、経に梳毛糸、緯に梳毛糸又は綿糸を用い、うねの高い綾織とした織物をいう。
○綿ギャバジンとは、綿糸を用いるギャバジンをいう。
○吸汗性とは、汗を吸い取る性質をいう。
【０００８】
本考案者は、上記の従来技術が有する各種の問題点に鑑み、鋭意研究を重ねて、本考案を完成した。
本考案者が、本考案が解決しようとする課題の重要性に気付く契機となったのは、従来技術の欠点を生じる最大の原因が、火災の勢いが盛んになったような場合に、自己の身体のうち、胸部、胴部、脚部を火災から護りながら避難するためには役立っているけれども、背中、頭部は全く護られていないことに気付いたことである。また、エプロンに加えて頭巾を準備すると、要素の数が増加するだけでなく、装着、装脱作業が煩雑化することに気付いたことである。
【０００９】
本考案者は、要素数を増加させることなく、背中、及び頭部を護りながら避難することを可能にするものはないかと種々検討・模索を重ねて、本考案を完成した。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
広幅の胴当て部と、胴当て部の上方に続いて徐々に幅が狭くなる胸当て部と、胴当て部の上部に設けられた胴締め紐と、胸当て部の上部に設けられた首掛け紐とを有するエプロンであって、全体が難燃性の生地で構成されていると共に、胸当て部の上半部の裏面に同じ幅の難燃性の生地が、下部を開放させるように縫着されて頭巾を構成していることを特徴とするエプロンである。
第１の考案であれば、通常の作業を行う場合には、胴当て部により胴部及び脚部を覆い、胸当て部により胸部を覆うようにエプロンを装着して作業を遂行することができ、作業に伴って生じる飛散物が被服に付着してしまうことを防止することができる。また、飛散物が熱いものであっても、やけどを未然に阻止することができる。
また、火災が発生して、建物等から非難することが必要になった場合には、胴締め紐をほどき、首掛け紐を首から外し、頭巾を頭に被り、かつ胴当て部を背中側に垂らし、胴締め紐どうしを結ぶことによって、頭部と背中を火の粉等から護ることができる。この場合において、避難する人は、ある程度前かがみになると共に、火から離れる方向に逃げるのであるから、胸部、腹部は結果的に護られることになる。
○第２の考案（請求項２に記載の考案）
上記の課題を解決するための第２の考案（請求項２に記載の考案）は、
エプロン全体を構成する難燃性の生地は、綾織物、又はバーバリー織り生地に難燃加工が施されたものであることを特徴とする請求項１に記載のエプロンである。
第２の考案であれば、簡単に難燃性を持たせることができ、しかも、優れたデザイン性と安全性とを両立させることができる。
○第３の考案（請求項３に記載の考案）
上記の課題を解決するための第３の考案（請求項３に記載の考案）は、
エプロン全体を構成する難燃性の生地は、吸汗性を有するものであることを特徴とする請求項１または請求項２に記載のエプロンである。
第３の考案であれば、通常の作業時における快適性を高めることができる。
【考案の効果】
【００１０】
本考案に係るエプロンは、上記のような特徴的構成要件から構成され、特徴的構成要件に応じた、以下のような本願考案特有の効果を奏する。
また、上記のような特徴的構成要件から構成されたエプロンによれば、本願考案の課題を解決することができた。
○第１の考案の効果
第１の考案によれば、広幅の胴当て部と、胴当て部の上方に続いて徐々に幅が狭くなる胸当て部と、胴当て部の上部に設けられた胴締め紐と、胸当て部の上部に設けられた首掛け紐とを有するエプロンであって、全体が難燃性の生地で構成されていると共に、胸当て部の上半部の裏面に同じ幅の難燃性の生地が、下部を開放させるように縫着されて頭巾を構成しているという特徴的な構成要件により、
火災の勢いが盛んになったような場合に、自己の頭部及び上半身を火の粉等から護りながら避難することを可能とするエプロンを提供することができた。
すなわち、本考案が解決しようとする第１課題を達成することができ、当業者予測不可能な顕著な効果を奏することができた。
○第２の考案の効果
第２の考案によれば、エプロン全体を構成する難燃性の生地は、綾織物、又はバーバリー織り生地に難燃加工が施されたものであるという特徴的な構成要件により、
簡単に難燃性を持たせることができ、しかも、外観が優れたエプロンを提供することができた。
すなわち、本考案が解決しようとする第２課題を達成することができ、当業者予測不可能な顕著な効果を奏することができた。
○第３の考案の効果
第３の考案によれば、エプロン全体を構成する難燃性の生地は、吸汗性を有するものであるという特徴的な構成要件により、
通常の作業時における快適性を高めることができるエプロンを提供することができた。
すなわち、本考案が解決しようとする第３課題を達成することができ、当業者予測不可能な顕著な効果を奏することができた。
【図面の簡単な説明】
【００１１】
【図１】広げた状態のエプロンを示す裏面図である。
【図２】頭巾を被った被着状態を示す概略図である。
【考案を実施するための形態】
【００１２】
以下、添付図面を参照して、本考案に係るエプロンの実施の形態を説明する。
［図１］は、広げた状態のエプロンを示す裏面図である。
このエプロンＥは、広幅の胴当て部Ｄと、胴当て部Ｄの上方に続いて徐々に幅が狭くなる胸当て部Ｍと、胴当て部Ｄの上部に設けられた胴締め紐Ｄｈと、胸当て部Ｍの上部に設けられた首掛け紐Ｍｈとを有している。
そして、このエプロンＥは、全体が難燃性の生地で構成されている。
ここで、難燃性の生地としては、従来公知のものを使用すればよい。
また、胸当て部Ｍの上半部の裏面に同じ幅の難燃性の生地Ｋが、下部を開放させるように縫着されて頭巾Ｚを構成している。
【００１３】
このエプロンＥは、所定回数の洗濯（例えば、２５０回の選択）にも耐え、初期の難燃性を保つことができる耐久性を有するものであることが好ましい。
このエプロンＥは、防炎製品認定委員会で承認される非毒性（一般毒性、接触皮膚障害性がないこと）（例えば、防炎協会認定番号：Ａ５８００１）を有するものであることが好ましく、煙毒性もないものであることがより好ましい。
このエプロンＥは、帯電性が低く、静電気の発生が殆どないものであることが好ましい。
このエプロンＥは、環境にやさしく、水質を保全し土壌を活性化する、無農薬・有機栽培によるオーガニックコットンからなるものであることが好ましい。
このエプロンＥは、綾織物、又はバーバリー織り生地からなるものであることが好ましく、優れたデザイン性を持たせることができると共に、丈夫さ、水切れのよさをも持たせることができる。ここで、綾織物、又はバーバリー織り生地は、難燃性繊維からなるものであってもよく、又は、織り上げられた後に難燃加工が施されたものであってもよい。
このエプロンＥは、被着する個人の体形に合わせたサイズのものであってもよいが、胴締め紐を用いて被着することを考慮すれば、大き目のサイズのものだけを準備しておけばよく、大きい人も、小さい人も簡単に被着することができる。
【００１４】
通常の作業を遂行する場合には、身体の前面から、胴当て部Ｄが胴部、脚部を覆い、胸当て部Ｍが胸部を覆うように位置決めし、首かけ紐Ｍｈを首にかけ、胴締め紐Ｄｈどうしを縛ることによって、エプロンＥを被着することができる。
そして、被着したエプロンＥによって、作業に伴って生じる飛散物、飛沫体等が衣服に付着することを未然に防止することができる。
また、火災が発生した場合であって、初期消火が可能な場合には、エプロンＥを外して火災発生箇所を覆うことによって初期消火を達成することができる。すなわち、消火器を取りにいく必要が全くなく、被着しているエプロンＥを外して火災発生箇所を覆うだけでよいから、時間遅れを殆ど伴うことなく早期消火を行うことができる。
【００１５】
また、火災が発生し、火災の勢いが強くなった場合には、図２に示すように、エプロンＥをいったん外し、頭巾Ｚを頭部に被り、胴当て部Ｄが背中に垂れるようにし、胴締め紐Ｄｈどうしを縛ることによって、頭部と背中を護るようにエプロンＥを被着することができる。
そして、この状態のままで避難することによって、火の粉等の影響を殆ど受けることなく、安全に避難することができる。
すなわち、避難する場合には、火から離れる方向に移動するのであるから、火の粉等の影響を多く受けるのは、人体の頭部、及び背中であり、胸部、胴部は火の粉等の影響を余り受けないことになる。したがって、本考案のエプロンＥによって、安全な非難を可能にすることができる。
そして、図２に示すように被着したエプロンＥは、人体の頭部、及び背中を護るのであるから、避難時の安全性を高めることができる。
【符号の説明】
【００１６】
Ｅ      エプロン
Ｄ      胴当て部
Ｄｈ    胴締め紐
Ｍ      胸当て部
Ｍｈ    首掛け紐
Ｋ      難燃性の生地
Ｚ      頭巾
【図１】
0003153634.tif 000003
【図２】
0003153634.tif 000004